(57)【要約】【課題】深夜電気を使用する蓄熱式電気ボイラーの水供給装置にあって、温水供給管２１からの熱損失の防止と共に、温水供給管２１と戻し管２３との共通した断熱作業の容易化を図ること。【解決手段】電気ボイラー９からの温水を供給する温水供給管２１を水槽２０の下部に導き、そこから、外部へ出し、それから暖房配管２３に接続するようにして熱損失を少なくしている。それから、温水供給管２１と戻し管２５は電気ボイラー９の下部にて接続されていることから、共に断熱作業ができ、断熱作業の容易化を図る。【選択図】        図１
0003121393.tif 000002
【実用新案登録請求の範囲】
【請求項１】
断熱材１１で断熱された水槽２０内に電気ヒータ１０を配して水を加熱する電気ボイラー９と、この電気ボイラー９から温水供給管２１を介して温水が供給される暖房配管２３と、この暖房配管２３から温水を前記電気ボイラー９へ戻す戻し管２５とを備えた蓄熱式電気ボイラーの水供給装置において、
前記温水供給管２１は、その一端が前記水槽２０の下部から入り、そして水槽２０内で上方へ向かって伸び、先端部に吸込穴３０を有していると共に、
前記戻し管２５は、その一端が前記水槽２０の下部から入り、先端部に噴射穴３１を有していることを特徴とする蓄熱式電気ボイラーの水供給装置。
【請求項２】
前記温水供給管２１の吸込穴３０は、複数の小穴より成ることを特徴とする請求項１記載の蓄熱式電気ボイラーの水供給装置。
【請求項３】
前記戻し管２５の噴射穴３１は、多数の小穴より成ることを特徴とする請求項１記載の蓄熱式電気ボイラーの水供給装置。
【請求項４】
前記温水供給管２１と戻し管２５は、水槽２０から出た部分が共に断熱材で覆われたことを特徴とする請求項１記載の蓄熱式電気ボイラーの水供給装置。
【考案の詳細な説明】
【技術分野】
【０００１】
この考案は、安い費用で供給されている深夜電気を利用する暖房または温水を使うためのボイラーの水供給装置に関するものである。
【背景技術】
【０００２】
深夜では安い電気を使う深夜電気ボイラーが用いられ、燈油，都市ガスを使用するボイラーより燃料費を約５０％程節減するだけでなく、深夜電気料金は、一般電気料金の４分の１程の水準に過ぎない利点を持つことから、使用が増加してきている。このために用いられるボイラーが効果的な熱交換性を充足するため、熱損失を最小限化することが望ましい。蓄熱暖房システムとして例えば特許文献１を示すことができる。
【特許文献１】特開平１０−２８８３９８
【０００３】
従来の電気ボイラー水供給装置は、図４に示され、電気ボイラー９の構造は主に一定量の水を貯蔵することができる水槽２０を具備して構成すると同時に、内部に貯蔵される水を加熱する電気ヒーター１０が具備され、その一側面には水槽２０内で加熱された温水を暖房配管２３へ供給する温水供給管２１と、暖房配管２３から熱交換された暖房水を水槽２０内へ戻す戻し配管２５を具備している。
【考案の開示】
【考案が解決しようとする課題】
【０００４】
このような蓄熱式電気ボイラーは、深夜に水を加熱させて蓄熱することから水槽２０を出来る限り大きくなければならない。そして水槽の大型化により、温水供給管２１をボイラーの上部に、戻し管２５をボイラーの下部にそれぞれ取り付けられ、それぞれ個々に断熱材を巻き付ける断熱作業をしているが、その作業が煩雑であるし、また断熱材による分だけ大きな設置空間が要求される欠点を惹起していた。
【０００５】
また、深夜電気を利用する電気ボイラーの設置地域が主に農村等では、その設置場所が住宅外部で狭く且つ簡易に板材で囲ったもので、前記したごとく温水供給管が電気ボイラーの上部に接続するものにあっては、露出部分が大きく、外気による熱損失が大きい問題があった。そして、また、電気ボイラーを設置した後で、各々の温水供給管の高い位置部分の断熱処理作業が難しく、且つ戻し管も別々に断熱処理するため、ボイラーを設置する場所が狭いと設置が難しかった。
【０００６】
そこで、この考案は、上述のような問題を改善するために案出されたもので、熱損失を最小とすると同時に、温水供給管と戻し管との断熱作業の改善を図ることを目的とする。
【課題を解決するための手段】
【０００７】
この考案に係る蓄熱式電気ボイラーの水供給装置は、断熱材１１で断熱された水槽２０内に電気ヒータ１０と配して水を加熱する電気ボイラー９と、この電気ボイラー９から温水供給管２１を介して温水が供給されるが暖房配管２３と、この暖房配管２３から温水と前記電気ボイラー９へ戻す戻し管２５とを備えた蓄熱式電気ボイラーの水供給装置において、前記温水供給管２１は、その一端が前記水槽２０の下部から入り、そして水槽２０内で上方へ向って伸び、先端部に吸込穴３０を有していると共に、前記戻し管２５は、その一端が前記水槽２０の下部から入り、先端部に噴射穴を有していることを特徴とする（請求項１）。
【０００８】
この構成から、上層の加熱された水（温水）が、温水供給管に先端部から吸込まれ、そして水槽内の該温水供給管を通って下部へ導かれ、それから水槽外へ出ていくため、水槽外を通る従来例に比して外気による熱損失が抑えられる。
【０００９】
前記温水供給管の吸込穴は、複数の小穴により構成することが好ましく（請求項２）、多くの小穴より広い範囲から温水の吸入ができ、急激な温水の排出に伴う温度低下を防止できる。また前記戻し管の噴射穴は、多数の小穴より成ることが好ましく（請求項３）、この小穴から冷えた温水が少量で噴射されるため、水槽内の高温の温水と早く温交換される（温められる）し、急激な熱交換を防止して熱備蓄効果を高めることができる。
【考案の効果】
【００１０】
請求項１の考案によれば、加熱された温水が、水槽の上部から下部に移動し、それから外部に出て暖房配管に接続されることから、下部までの移動時は水槽の内であり、熱損失を発生させることはない。即ち、外部へ露出する温水供給管を最小化するので熱損失を少なくすることができる。また戻し管と温水供給管とは近接されることになり、共に断熱でき、断熱作業が容易となる。
【００１１】
また、請求項２の考案によれば、吸込穴を複数の小穴で構成しているので、広い範囲から吸引できるので、温水の排出による温度の低下を防止できる。さらに請求項３の考案によれば、戻り管の噴射穴の小穴から温度の低い温水が少量ずつ水槽内に流入されるので、温水との熱交換を早め、且つ熱交換に伴う急激な温度変化を防止することができる。さらにまた、請求項４の考案によれば、温水供給管と戻し管とが共に断熱材で覆われていることから、断熱作業の容易化、単純化が図れる。
【考案を実施するための最良の形態】
【００１２】
以下、この考案の実施例を添付図面にもとずいて詳細に説明する。図１に乃至図３において、電気ボイラー９は、断熱材１１で囲われ、内部に水槽２０が配されている。この水槽２０の天上に補充水管１２と安全弁１３を接続し、その内部で比較的下方に電気ヒータ１０を配している。
【００１３】
また、温水供給管２１は、その一端が水槽２０内に下部から入り、それから水槽２０に沿って上方に伸長し、先端部に複数の小穴より成る吸込孔３０が設けられている。さらに、その他端は水槽外に出て、分配器２２を経て各々の暖房配管２３の往き側に接続されている。そして、暖房配管２３の戻し側は、集合器２４を経て戻し管２５に接続されている。２６は戻し管２５に設けられたポンプである。
【００１４】
この戻し管２５は、水槽２０内へ下部から入り、その先端部に噴射穴３１が形成され、その噴射穴３１は多数の小孔より成って、戻ってきた温水が小孔から少量で噴射されて熱交換に伴う急激な熱交換による熱効率低下を防止している。それから、前記温水供給管２１と戻し管２５は、共に下部にあり、近接していることから、断熱施工が容易となり、狭い面積に設置可能となる。
【作用】
【００１５】
電気ボイラー９は、深夜電気でヒータ１０により水槽２０内の水を加熱する。この電気ボイラー９を利用して暖房するとき、電源ＯＮでポンプ２９が可動したら暖房配管２３内の水が水槽２０内に送られる一方、水槽２０内の加熱された温水が、温水供給管２１の吸込穴３０から吸込まれる。
【００１６】
吸込まれた温水は、水槽２０内の温水供給管２１を下降し、温水の熱損失を最小化させ、分配器２２を介して暖房配管２３に流れる。暖房のために熱交換された後の温水は集合器２４を経て戻し管２５から水槽２０に戻される。
【００１７】
前述したごとく、温水供給管２１に形成の吸込穴３０から加熱された温水を多くの所から少しずつ導入することは、温水が急激な流出で冷却される問題を防止して水槽２０内の温水の温度を維持することができる。また、水槽２０の下部から入る戻し管２５は、たくさんの噴射穴３１から温水を少量ずつ噴射させて、熱交換を早め、熱交換に伴う急激な熱交換損失を防止して、熱交換効果を増大することができる。それは、下方へ向けた噴出と、少量の噴射とにより、温水の混合を容易にし、ゆっくりと循環する対流現象で上昇しながら熱交換することからである。
【図面の簡単な説明】
【００１８】
【図１】この考案の実施例を示す全体概略説明図である。
【図２】同上の温水供給管の先端部の吸込穴部分の拡大断面図である。
【図３】図１に示すＡ部分の拡大図である。
【図４】従来の電気ボイラーを用いた水供給装置の概略説明図である。
【符号の説明】
【００１９】
９    電気ボイラー
１０  電気ヒータ
１１  断熱材
２０  水槽
２１  温水供給管
２３  暖房配管
２５  戻し管
３０  吸込穴
３１  噴射穴
【図１】
0003121393.tif 000003
【図２】
0003121393.tif 000004
【図３】
0003121393.tif 000005
【図４】
0003121393.tif 000006